(57)【要約】【課題】コロイド単結晶素子の開発と利用が急速に現実化してきたが、適正な品質の評価手段がなかった。本発明は、コッセルパターンを撮影してその品質を評価するコロイド結晶素子検査装置を提供しようというものである。【解決手段】透過式のコッセルパターンの撮影において、（１）コロイド結晶素子とスクリーンの間に、平行に相対する二つの平坦な基板面を有する透明な固体ブロックを挟む構造をとること、（２）固体ブロックのスクリーン側に向く基板面を磨りガラス状にすること、（３）光拡散シートと粗面シートを重ねたこと、によって明瞭なコッセルパターンを得、これを撮像することによって、コロイド結晶素子の検査装置とするものである。【選択図】　　　　　　図２
2004101324.tif 000002
【特許請求の範囲】
【請求項１】
二枚の透明平行平板間にコロイド結晶が形成されてなる光学機能素子であるコロイド結晶素子（以下、コロイド結晶素子という）の品質検査法において、該被検コロイド結晶素子に、一点から発散するレーザー光を入射し、該素子を透過した透過光を、光学的に均質な透明ブロックを介して光透過性のスクリーンに映じ、その映ぜられたコッセルパターンを該スクリーンの裏面より電気的撮像手段により撮像し、その撮像された映像により品質検査することを特徴とするコロイド結晶素子品質検査方法。
【請求項２】
該電気的撮像手段により撮像された映像をコンピュータに入力し、デジタル処理し、所要の検査項目を検査するようにしたことを特徴とした請求項１記載のコロイド結晶素子の検査方法
【請求項３】
該コロイド結晶素子のレーザー光入射面に光拡散シートを取り付け、該光拡散シートを介してビーム状レーザー光を入射させることにより、一点から発散するレーザー光を発生させることを特徴とする請求項１または２記載のコロイド結晶素子検査方法
【請求項４】
該光拡散シートをコロイド結晶素子に取り付けるに際しては、光拡散シートと素子との間に少なくとも一面が磨りガラス状の粗面で構成されてなる粗面シートをその粗面側が光拡散シートに当接するように挿入し、この粗面シートを介して取り付けることを特徴とする請求項３記載のコロイド結晶素子検査方法。
【請求項５】
該粗面シート及び透明ブロックをコロイド素子に設定、取り付けるに際しては、透明な液体を介して密着し、各取り付け面に空気層が介在するのを排除したことを特徴とする請求項４記載のコロイド結晶素子の検査方法。
【請求項６】
該透明ブロックの光出射側端面を磨りガラス状の粗面とし、この粗面化した端面をもって、該光透過性スクリーンとすることを特徴とする請求項１ないし５記載の何れか１項記載のコロイド結晶素子の品質検査方法。
【請求項７】
該透明ブロックの光出射側端面を磨りガラス状の粗面とし、この粗面化した端面に、別途光透過性スクリーンを当接させたことを特徴とする請求項１ないし５記載の何れか１項記載のコロイド結晶素子の品質検査方法。
【請求項８】
被検コロイド結晶素子にレーザー光を照射し、コッセルパターン回折を生じさせるレーザー光源と、該コロイド結晶素子に取り外し自在に取り付けられ、入射レーザー光をコロイド結晶素子に拡散して入射させる光拡散シートと、照射したレーザー光が該コロイド結晶素子を通過したことによって生じるコッセルパターン回折像を映し出す光透過性のスクリーンと、該素子を透過した透過光を該スクリーンに導く透明ブロックと、該スクリーンの裏面より該コッセルパターンを撮像する電気的撮像手段とを備えることを特徴とする、コロイド結晶素子品質検査装置。
【請求項９】
該撮像したコッセルパターンの映像をコンピュータに入力し、デジタル処理し、所要の検査項目を検査するようにしたコンピュータ処理装置を備えていることを特徴とした請求項８記載のコロイド結晶素子品質検査装置。
【請求項１０】
光拡散シートとコロイド結晶素子との間に、さらに少なくとも一面が磨りガラス状の粗面で構成されてなる粗面シートをその粗面側が光拡散シートに当接するように挿入したことを特徴とする請求項８又は９記載のコロイド結晶素子検査装置。
【請求項１１】
粗面シートおよび透明ブロックが透明な液体を介してコロイド結晶素子取り付け面に密着して取り付けられていることを特徴とする請求項１０記載のコロイド結晶素子検査装置。
【請求項１２】
該透明ブロックの光出射側端面を磨りガラス状の粗面とし、この粗面化した端面をもって、該光透過性スクリーンとすることを特徴とする請求項７ないし１１記載の何れか１項記載のコロイド結晶素子の品質検査装置。
【請求項１３】
該透明ブロックの光出射側端面を磨りガラス状の粗面とし、この粗面化した端面に、別途光透過性スクリーンを当接させたことを特徴とする請求項７ないし１１記載の何れか１項記載のコロイド結晶素子検査装置。
【発明の詳細な説明】
【０００１】
【発明の属する技術分野】
本発明は、光学素子として機能する、二枚の透明平行平板間にコロイド結晶が形成されてなるコロイド結晶素子（以下、コロイド結晶素子という）の品質検査方法とその方法を実施する検査装置に関する。
【０００２】
【従来の技術と問題点】
近年、コロイド結晶（コロイド粒子が結晶様に三次元的に周期配列したコロイド粒子構造体）とこれを素子化したコロイド結晶素子に関する研究が盛んになされるようになってきた。本発明者等のグループにおいても、コロイド結晶素子とその製造方法について一連の研究を行ってきた。その成果については、すでに特許出願（特願平２０００−２１７６６０号、特願平２００２−１２８７１号）を申請している。その概要は、二枚の透明平行平板が形成する狭い平板状キャピラリー空間を有するガラス製等透明容器（以下、平板状キャピラリーセルという）にシリンジ操作によりコロイド結晶を圧入し、該空間内に単結晶的に結晶方位の整ったコロイド結晶を形成させるものである。尚、上記の平板状キャピラリー空間を有するガラス製等透明容器の例としては、例えば、長さ８ｃｍ、幅１ｃｍ、厚さ１ｍｍのガラス平板２枚を０．１ｍｍ離して平行に向かい合わせることによって該２枚のガラス平板間に狭い平板状空間を形成したものをあげることができる。ただし、もちろん、これは一つの設計例を開示するものであって、この設計例に限定されるものではない。このコロイド結晶は、前記特許願に添付された明細書においても言及しているように、光学材料としての利用等において注目され、大きな期待が寄せられている。
【０００３】
このコロイド結晶を今後一段と実用段階に発展させるためには、コロイド結晶素子の製造プロセスにかかわる研究、開発に平行して、その品質を評価する管理システムの確立を急がなければならない。品質を評価する品質管理システムの確立によって、その提供されるコロイド結晶素子は、一定の光学的機能を備えた素子として評価が得られ、信頼性に応えることが出来るものである。そのためにもコロイド結晶素子の品質を評価、管理するシステムの確立を急がなければならず、今後、実用段階に進む上においては、この品質検査システムの開発を避けて通ることはできない。しかしながら、実情は、コロイド結晶の原料粒子の品質自体の評価問題や、所定の濃度のコロイド溶液を作成するプロセス管理、さらにはコロイド結晶を素子化するプロセスを実施するシリンジ操作の再現性確保等、その何れもが最終製品の光学的機能の是非、良否に直接影響を与え、しかも、これらを安定に確保し、あるいは反復再現性を以て制御すること等は、それ自体が極めて困難なことであるという実情にあり、充分な品質管理体制が確立していなかった。
【０００４】
本発明者らにおいては、コロイド結晶に一点から発散する単色光を結晶に照射すると、特有な光回折パターン（以下コッセルパターンと記す）が得られること、この回折パターンは、コロイド結晶の如何により、特有な性格を有するものであることに着目し、これによってコロイド結晶素子の品質検査手段を提供することを思いついた。コッセルパターン自体は、良く知られた光の回折現象であるが、この現象を利用してコロイド結晶素子の品質検査を行おうとしても、コロイド結晶にレーザー光を照射し、スクリーン状にコッセルパターンを得ようとしても、以下に述べるようにその得られるコッセルパターンは必ずしも明瞭な像が得られるとは限らず、このままでは品質検査システムとして採用するには難のある実情にあった。
【０００５】
すなわち、コロイド結晶素子に単色光を照射し、コッセルパターンを得、これによって評価しようとしても、そこには、例えば、薄板状コロイド結晶素子の容器である前記平板状キャピラリーセルの屈折率と空気の屈折率との差に基づいた、問題があった。
【０００６】
その一つは、前記平板状キャピラリーセルを形成するガラス等の材質が空気に比べてかなり大きな屈折率を持つため、光軸に対して角度をもって前記薄板状コロイド結晶素子から空気中へ出射する光は、薄板状コロイド結晶素子の光出射面で屈折して大きく広がってしまい、スクリーン上に形成される像がぼやけてしまうという問題である。前記平板状キャピラリーセルの材質の屈折率をｎとすると、薄板状コロイド結晶素子中で光軸に対してαの角度をなす光が前記平板状キャピラリーセルから空気中に出射したときになす角度βは、屈折の法則に従い
ｓｉｎβ＝ｎｓｉｎα
となる。キャピラリーセルの材質としては各種ガラスや透明プラスチックがあり得るが、いずれもその屈折率ｎは１．４〜１．６であるので、βはαより大きくなり、その差はαが広角になるほど大きくなる。つまり、αが広角になって行くに従って急激に光が広がりスクリーン上の像がぼやけてしまうことになる。
【０００７】
第２の問題は、キャピラリーセル中に、十分に広角の光を入射することができないという問題である。キャピラリーセルに入射するレーザー光を１点から発散する光にするためにキャピラリーセル表面に光拡散シートを接触させて設置する。光拡散シートを通過して広角に発散された光は、いったん、拡散シートとキャピラリーセルの間のごく薄い空気層を通過してからキャピラリーセルに入射することになる。光拡散シートでレーザー光が十分広角に拡散されたとしても、空気層から前記キャピラリーセルに入射するとき、屈折により角度が狭められる。これは、屈折率の小さな空気から屈折率の大きなキャピラリー材質に入射するときには、屈折の法則が（０００６）で述べたのとは逆に作用し、角度が小さくなってしまうことによる。たとえ、空気層からキャピラリーセルに入射し得る最大の角度の９０度で光が入射したとしても、屈折により半分程度の角度になってしまう。屈折の法則によると、この角度は全反射の臨界角と等しく、屈折率ｎ＝１．４〜１．６に対して、臨界角は４５．６〜３８．７度となる。すなわち、キャピラリーセル中のコロイド結晶に十分に広角な光を照射できないわけである。
【０００８】
さらに、第３の問題として、上述の問題が解決され、素子中の光の角度が全反射の臨界角以上の広角域まで存在したとしても、キャピラリーセルの裏面から空気層に出射するときに、臨界角以上の広角の光は全反射されキャピラリーセル外には出ることができず、従って、臨界角以上の広角域でのコッセルパターンの撮影は不可能である、と言った問題があった。
【０００９】
【発明が解決しようとする課題】
本発明は、上記現状の技術に鑑み、コッセルパターンに基づき、あるいはさらにコンピュータに取り込んで品質判定等のしかるべきデジタル処理に供するに際し、明瞭なコッセルパターンを表示、撮像できる、簡便な薄板状コロイド結晶素子検査方法とこの検査方法を実施する検査装置を提供しようというものである。
【００１０】
【発明の解決手段】
そのために薄板状コロイド結晶素子検査方法及び検査装置について、本発明が講じた解決手段は、以下に（１）〜（１３）に記載する通りである。
（１）　二枚の透明平行平板間にコロイド結晶が形成されてなる光学機能素子であるコロイド結晶素子（以下、コロイド結晶素子という）の品質検査法において、該被検コロイド結晶素子に、一点から発散するレーザー光を入射し、該素子を透過した透過光を、光学的に均質な透明ブロックを介して光透過性のスクリーンに映じ、その映ぜられたコッセルパターンを該スクリーンの裏面より電気的撮像手段により撮像し、その撮像された映像により品質検査することを特徴とするコロイド結晶素子品質検査方法。
（２）　該電気的撮像手段により撮像された映像をコンピュータに入力し、デジタル処理し、所要の検査項目を検査するようにしたことを特徴とした前記（１）記載のコロイド結晶素子の検査方法
（３）　該コロイド結晶素子のレーザー光入射面に光拡散シートを取り付け、該光拡散シートを介してビーム状レーザー光を入射させることにより、一点から発散するレーザー光を発生させることを特徴とする前記（１）または（２）記載のコロイド結晶素子検査方法
（４）　該光拡散シートをコロイド結晶素子に取り付けるに際しては、光拡散シートと素子との間に少なくとも一面が磨りガラス状の粗面で構成されてなる粗面シートをその粗面側が光拡散シートに当接するように挿入し、この粗面シートを介して取り付けることを特徴とする前記（３）記載のコロイド結晶素子検査方法。
（５）　該粗面シート及び透明ブロックをコロイド素子に設定、取り付けるに際しては、透明な液体を介して密着し、各取り付け面に空気層が介在するのを排除したことを特徴とする前記（４）記載のコロイド結晶素子の検査方法。
（６）　該透明ブロックの光出射側端面を磨りガラス状の粗面とし、この粗面化した端面をもって、該光透過性スクリーンとすることを特徴とする前記（１）ないし（５）記載の何れか１項記載のコロイド結晶素子の品質検査方法。
（７）　該透明ブロックの光出射側端面を磨りガラス状の粗面とし、この粗面化した端面に、別途光透過性スクリーンを当接させたことを特徴とする前記（１）ないし（５）記載の何れか１項記載のコロイド結晶素子の品質検査方法。
（８）　被検コロイド結晶素子にレーザー光を照射し、コッセルパターン回折を生じさせるレーザー光源と、該コロイド結晶素子に取り外し自在に取り付けられ、入射レーザー光をコロイド結晶素子に拡散して入射させる光拡散シートと、照射したレーザー光が該コロイド結晶素子を通過したことによって生じるコッセルパターン回折像を映し出す光透過性のスクリーンと、該素子を透過した透過光を該スクリーンに導く透明ブロックと、該スクリーンの裏面より該コッセルパターンを撮像する電気的撮像手段とを備えることを特徴とする、コロイド結晶素子品質検査装置。
（９）　該撮像したコッセルパターンの映像をコンピュータに入力し、デジタル処理し、所要の検査項目を検査するようにしたコンピュータ処理装置を備えていることを特徴とした前記（８）記載のコロイド結晶素子品質検査装置。
（１０）　光拡散シートとコロイド結晶素子との間に、さらに少なくとも一面が磨りガラス状の粗面で構成されてなる粗面シートをその粗面側が光拡散シートに当接するように挿入したことを特徴とする前記（８）又は（９）記載のコロイド結晶素子検査装置。
（１１）　粗面シートおよび透明ブロックが透明な液体を介してコロイド結晶素子取り付け面に密着して取り付けられていることを特徴とする前記（１０）記載のコロイド結晶素子検査装置。
（１２）　該透明ブロックの光出射側端面を磨りガラス状の粗面とし、この粗面化した端面をもって、該光透過性スクリーンとすることを特徴とする前記（７）ないし（１１）記載の何れか１項記載のコロイド結晶素子の品質検査装置。（１３）　該透明ブロックの光出射側端面を磨りガラス状の粗面とし、この粗面化した端面に、別途光透過性スクリーンを当接させたことを特徴とする前記（７）ないし（１１）記載の何れか１項記載のコロイド結晶素子検査装置。
【００１１】
【発明の実施の形態】
本発明の実施の形態を実施例として示した図に基づいて説明する。但し、この図に記載した態様は、あくまでも本発明を容易に理解するための一助として開示した態様であって、これに限定されるものではない。
図１は、本発明による薄板状コロイド結晶素子検査装置実施例の構成の説明図、図２は薄板状コロイド結晶素子検査装置実施例の組立図である。
図において、１はレーザー光源、２はミラー、３は光拡散シート、４は粗面シート、５は平板状キャピラリーセル内にコロイド結晶が形成されてなる薄板状コロイド結晶素子、６は透明ブロック、７はスクリーン、８はミラー、９は撮像装置（ＣＣＤカメラ）、１０はスクリーンに映った光回折パターン（コッセルパターン）である。
【００１２】
まず上記従来の技術で記述した第１の問題、つまり図１に示す前記薄板状コロイド結晶素子の容器としての前記平板状キャピラリーセル５を形成するガラス等の材質が空気に比べてかなり大きな屈折率を持つため、光軸に対して角度をもって空気中へ出射する光が、前記平板状キャピラリーセル５の光出射面で屈折して大きく広がってしまい、スクリーン７上に形成される像がぼやけてしまうという問題を解決するために、平板状キャピラリーセル５とスクリーン７の間に平行に相対する二つの平坦な基盤面を有する透明な固体ブロック６を設置し、該ブロックの片方の基盤面を平板状キャピラリーセル５の光出射面と密着させ、他の基盤面に光透過性のスクリーン７を密着して設置する構成とした。
【００１３】
ここで、透明ブロック６の材質は各種ガラスや透明プラスチック等であり、上記構成によって平板状キャピラリーセル５から出射した光はそのまま屈折率の高い透明ブロック６に入射するので、光が広がることなく反対面のスクリーン７に達して、広角域がぼけることのない明瞭な像を形成することができる。
【００１４】
次に上記従来技術の第２の問題、つまりキャピラリーセル中に、十分に広角の光を入射することができないという問題については、以下の方法で解決した。光拡散シート３と平板状キャピラリーセル５との間に、少なくとも片面が粗面である粗面シート４を、その粗面が光拡散シート３側を向くように挟み込み、粗面シート４と平板状キャピラリーセル５との接触面には液体を介在させた。粗面シート４と光拡散シート３の接触面は乾燥状態で緩く接触させている。この構成により、光拡散シート３で広角に拡散された光は、まず粗面シート４に入射するが、粗面シート４への入射面が粗面であるので、平滑面とは異なり、光が様々な方向に屈折・散乱されることになり、広角の光も十分に入射可能になる。粗面シート４から平板状キャピラリーセル５に入射するときは、両者の密着が悪いと、粗面シート４の下面とキャピラリーセル５の上面との間に空気層が介在することになり、粗面シートからこの空気層に光が出射するときに全反射が起こり、広角の光は出射できないことになる。そこで、水や透明なオイルなど空気に比較して屈折率の大きい液体を両者の接触面に介在させ、全反射の限界角度を空気層の存在する場合に比べて格段に拡げた。
ここで全反射を防ぐために使用する液体としては、平板状キャピラリーセル５の材質より屈折率の大きなものが理想的であるが、例えば水（屈折率１．３３）でも、平板状キャピラリーセル５の材質の各種ガラスや透明プラスチックの屈折率ｎ＝１．４〜１．６に対して、全反射の限界角度を７１．８度〜５６．２度にまで広げることができる。
【００１５】
次に、上記従来技術の第３の問題として述べた、キャピラリーセルの裏面から空気層に光が出射するときに全反射が起こる問題であるが、平板状キャピラリーセル５とスクリーン７の間に透明ブロック６を設置する構成にしたことによって、キャピラリーセルと透明ブロックの接触面に液体を介在させることが可能になり、そのようにすることで、上記（００１４）で述べたことと同様の理由により、全反射に起因する問題を大幅に改善することができる。
【００１６】
全反射の問題は、透明ブロック６とスクリーン７の接触面においても同様に発生する。この両者の接触面についても、上述の平板状キャピラリーセルと透明ブロックの接触面、あるいは、粗面シートとキャピラリーセルの接触面と同様に、液体を介在させる方法が採り得る。しかし、透明ブロック６とスクリーン７の接触面は、平板状キャピラリーセルと透明ブロックの接触面、あるいは、粗面シートとキャピラリーセルの接触面のように、頻繁に脱着する部分ではないので、光学装置としてはできるだけ乾燥状態で使える方が便利である。そこで、透明ブロック６のスクリーン７に向いた面を磨りガラス状の粗面とすることで、平滑面では全反射される角度の光を透明ブロック６から出射できるようにした。
【００１７】
上記透明ブロック６の端面に形成した粗面自体が光透過性のスクリーンとしての効果をある程度持つので、それをそのままスクリーンとして使用してもよい。しかし、スクリーン７としては、光拡散効果のより高い光拡散用シートを別途使用した方が鮮明な像が得られるので、この粗面に光拡散用シートをスクリーン７として接触させるとより効果的である。
【００１８】
以上の（００１２）から（００１７）に述べた解決策をすべて講ずることにより、それらを講じない場合に比べると格段に広角な入射光に対するコッセルパターン１０をスクリーン７上に表示することが可能になり、より鮮明なコッセルパターンを撮像装置、例えばＣＣＤカメラ等の電気的撮像手段で撮影できるようになった。
なお、図２に図１の薄板状コロイド結晶素子検査装置実施例の構成を、実際の測定装置に組み立てた場合の概要図を示した。
【００１９】
【実施例】
図２によって本発明の一実施例を説明する。
本実施例では、透明ブロック６として厚さ２ｃｍで直径１０ｃｍの石英ガラス製の円盤状ブロック６を作製した。片面は鏡面研磨して他面は磨りガラス状の粗面とした。この透明ブロック６を上が鏡面、下が磨りガラス状の粗面となるよう水平に保持し、鏡面上に薄板状コロイド結晶素子の平板状キャピラリーセル５を置き、また、粗面には光透過性の光拡散シートをスクリーン７として密着させた。　また透明ブロック６の上方から、透明ブロック６の基盤面に光ビームが垂直に入射するようにレーザー光源１としてのＨｅ−Ｎｅレーザーを設置した。
【００２０】
平板状キャピラリーセル５の上面には、光拡散シート３、粗面シート４〔この両者としては、例えば、テフロン（登録商標）シートが使えるが、ここでは、より良質の拡散光を得るために、Ｐｈｙｓｉｃａｌ　Ｏｐｔｉｃｓ　Ｃｏｒｐｏｒａｔｉｏｎ　製の光拡散用ポリエステルシートＬＤＳ８０を用いた〕の小片二枚を重ねて置いた。ここで用いたポリエステルシートは片面が粗面で、もう一方の面が平滑面となっている。そこで、平板状キャピラリーセル５側のポリエステルシート（粗面シート４として使用）は、平滑面を平板状キャピラリーセル側に向け、水を介して平板状キャピラリーセル５に密着させている。また、もう１枚のポリエステルシート（光拡散シート３として使用）も、その一面を粗面とする態様としてなるものを含むものであり、その粗面を粗面シート４側に向けて重ねてレーザー光を拡散光に変換する光拡散シート３として使用される。この光拡散シート３の粗面を粗面シート４側に向けているのは、ここで用いた光拡散シート３の拡散能力が、光拡散シート３の粗面が出射側を向いている方が高くなるからである。
【００２１】
なお、光拡散シート３を用いずとも、粗面シート４のみでもある程度の光拡散効果は持ち得るが、その場合は、レーザーの垂直入射ビームが直接粗面シート４に入射することになるので、広角域の拡散光の強度は十分に強くならない。上記のように、一旦光拡散シート３で拡散した光を粗面シート４に入射する二重構造をとることによって、広角域の拡散強度を飛躍的に強めることができる。スクリ−ン７の後方に電気的撮像手段、例えば冷却ＣＣＤカメラ９を置き、スクリーンに映し出された光回折パターン（コッセルパターン）を撮影し、取込み、品質を検査した。品質検査の要領は、コッセルパターンの形状について部分的、全体的に観察し、それらの寸法、対称性等によって判断する。これらの判断プロセスについては、コンピュータに予めプログラミングしておき、実行するようにすることによって、より客観的に正確に判断をすることが可能となる。ただし、この検査要領は、一例を一般的に開示したものであって、これに
限定するものではない。
【００２２】
以上の構成は、最も広角でコッセルパターンを撮影する場合のものであるが、４５度程度までのパターンで十分な場合は、粗面シート４の使用、平板状キャピラリーセル５と透明ブロック６との接触面を液体を介して接触させること、透明ブロック６とスクリーン７との接触面を磨りガラス状の粗面とすることの三つの条件はいずれもその必要はない。また、透明ブロック６の材質としては、石英ガラスに限らず、各種ガラスや透明プラスチックが使用できる。また、透明ブロック６のサイズは特に制約はない。なお、説明図に示した実施例においては、設置の便を考慮してミラー２、８を用いて、光学系を曲げているが、特に本質的な意味がないのは言うまでもない。
尚、本発明の検査方法および検査装置は、二枚の透明平行平板間にコロイド結晶が形成されてなるコロイド結晶素子であれば、一般的に適用できるものであることは明らかであり、図１および図２にて例示した形状のコロイド結晶素子に限るものでない
【００２３】
【発明の効果】平板状コロイド結晶素子は、コロイド結晶が持つ特異な光学特性のため、種々の光学的機能を有する素子として、注目されている。例えば、その利用形態として特定波長をカットする光学フィルターをはじめとして、これまでになかった全く新しい光学素子としておおいに利用され、実用に供されることが期待されている。すなわちこれによって、今後、これを利用した新しい光学機器の開発が大いに進められ、新しい産業の創生に寄与するものと期待されているものである。しかしながら、このコロイド結晶素子の作製は、再現性等において解決しなければならない多くの困難を抱えている等、問題が多々あり、このため今後、この素子の利用を図ろうとする技術分野への応用を進める上においては、大きな壁があった。本発明により、コロイド結晶素子の品質が極めて簡便な手段により、検査可能となり、加えて、コロイド結晶技術の発展により今後新しい技術が創生される可能性が高いことを考慮すると、その意義は極めて大きい。
すなわち、本発明によって、コロイド単結晶素子の品質が正確に検査されることによって、その利用技術の開発が大いに進むものと期待される。
【図面の簡単な説明】
【図１】薄板状コロイド結晶素子検査装置実施例の構成の説明図。
【図２】薄板状コロイド結晶素子検査装置実施例の組立構成図。
【符号の説明】
１：レーザー光源　　　　　　　　　　　　　　　　　　　　　　　２：ミラー
３：光拡散シート　　　　　　　　　　　　　　　　　　　　　　　４：粗面シート
５：薄板状コロイド結晶素子　　　　　　　　　　　　　６：透明ブロック
７：スクリーン　　　　　　　　　　　　　　　　　　　　　　　　　８：ミラー
９：ＣＣＤカメラ
１０：スクリーンに映った光回折パターン（コッセルパターン）
【図１】
2004101324.tif 000003
【図２】
2004101324.tif 000004